(57)【要約】【課題】不必要な斜光をカットしてフレアやゴーストの発生を低減し得る、光学装置及び光学機器を提供すること。【解決手段】所定の間隔を隔てて配置され、入射光を制限する光制限部材２ａ〜２ｋと、前記光制限部材を支持する支持部（平行ガラス板３ａ、３ｂ、支持リング３ｃ）と、を含み、前記光制限部材は、前記入射光の制限範囲を変更可能に構成されている。【選択図】      図４
2008203819.tif 000002
【特許請求の範囲】
【請求項１】
所定の間隔を隔てて配置され、入射光を制限する光制限部材と、
前記光制限部材を支持する支持部とを含み、
前記光制限部材は、前記入射光の制限範囲を変更可能に構成されていることを特徴とする光学装置。
【請求項２】
請求項１に記載の光学装置において、
前記光制限部材は、前記光制限部材の間隔、又は、前記光学装置の光軸方向の長さを変更可能であることを特徴とする光学装置。
【請求項３】
所定の間隔をあけて配置され、入射光を制限する光制限部材と、
前記光制限部材を支持する支持部とを含み、
前記光制限部材が配置される領域は、前記入射光を強く制限する第１の領域と、前記第１の領域よりも前記入射光を弱く制限する第２の領域とを有することを特徴とする光学装置。
【請求項４】
請求項３に記載の光学装置において、
前記第１の領域と前記第２の領域とは、前記光制限部材の間隔、又は、前記光学装置の光軸方向における前記光制限部材の長さが異なることを特徴とする光学装置。
【請求項５】
請求項３又は４に記載の光学装置において、
前記第１の領域は、前記第２の領域の周囲に備えられていることを特徴とする光学装置。
【請求項６】
請求項３乃至請求項５の何れか一項に記載の光学装置において、
前記光制限部材は、前記光制限部材の間隔、又は、前記光学装置の光軸方向の長さを変更可能であることを特徴とする光学装置。
【請求項７】
所定の間隔をあけて配置され、入射光を制限する光制限部材と、
前記光制限部材を支持する支持部と、
前記入射光が入射する光学機器の入射側に、前記支持部を取り付け可能な取り付け部とを含むことを特徴とする光学装置。
【請求項８】
請求項７に記載の光学装置において、
前記取り付け部は、前記入射光と前記光制限部材との角度を変更可能であることを特徴とする光学装置。
【請求項９】
請求項７又は請求項８に記載の光学装置において、
前記光制限部材は、前記光制限部材の間隔、又は、前記光学装置の光軸方向の長さを変更可能であることを特徴とする光学装置。
【請求項１０】
請求項１乃至９の何れか一項に記載の光学装置において、
前記光制限部材の間隔に備えられ、透光性を有する透光部材を備えることを特徴とする光学装置。
【請求項１１】
請求項１乃至１０の何れか一項に記載の光学装置において、
前記光制限部材は、前記入射光の透過を許容する透光状態と遮断する遮光状態とに切り替え可能な液晶によって構成され、
前記光制限部材を前記透光状態又は前記遮光状態に切り替えることによって、前記入射光の制限範囲を変更可能にしてなることを特徴とする光学装置。
【請求項１２】
請求項１乃至１１の何れか一項に記載の光学装置を含むことを特徴とする光学機器。
【発明の詳細な説明】
【技術分野】
【０００１】
本発明は、光学装置及び同光学装置を利用した光学機器に関する。
【背景技術】
【０００２】
撮影時の不要次数光によるフレアやゴーストを防止する目的でルーバーなどの光の入射を制限する光学装置が使用される。このルーバーは、例えば、光を透過させる透過層と光を遮断する遮光層とを交互に配置して構成される（特許文献１参照）。
【０００３】
【特許文献１】特開平８−３０４７４１号公報
【発明の開示】
【発明が解決しようとする課題】
【０００４】
上述したルーバーは、透過層（遮光層）間の間隔が一定であり、また入射光の方向の寸法（光軸Ｚ方向の寸法）が一定であることから、例えば野外撮影時にあっては刻々と変化する太陽の高さ位置、方角などに対応することが出来ず、また屋内撮影時にあっては照明装置の設置位置の変更などに対応することが出来ず、すなわち斜め方向から入射する入射光（斜光）の変化に対応することが出来ず、この結果、斜光をカットしてフレアやゴーストの発生を防止することが十分ではなかった。
【０００５】
本発明は、不必要な斜光をカットしてフレアやゴーストの発生を低減し得る、光学装置及び光学機器を提供することを目的とする。
【課題を解決するための手段】
【０００６】
上記目的を達成する本発明の請求項１に記載の光学装置は、所定の間隔を隔てて配置され、入射光を制限する光制限部材と、前記光制限部材を支持する支持部とを含み、前記光制限部材は、前記入射光の制限範囲を変更可能に構成されていることを特徴とする。
【０００７】
本発明の請求項２に記載の光学装置は、前記光制限部材が、前記光制限部材の間隔、又は、前記光学装置の光軸方向の長さを変更可能であることを特徴とする。
【０００８】
本発明の請求項３に記載の光学装置は、所定の間隔をあけて配置され、入射光を制限する光制限部材と、前記光制限部材を支持する支持部とを含み、前記光制限部材が配置される領域が、前記入射光を強く制限する第１の領域と、前記第１の領域よりも前記入射光を弱く制限する第２の領域とを有することを特徴とする。
【０００９】
本発明の請求項４に記載の光学装置は、前記第１の領域と前記第２の領域とは、前記光制限部材の間隔、又は、前記光学装置の光軸方向における前記光制限部材の長さが異なることを特徴とする。
【００１０】
本発明の請求項５に記載の光学装置は、前記第１の領域が、前記第２の領域の周囲に備えられていることを特徴とする。
【００１１】
本発明の請求項６に記載の光学装置は、前記光制限部材が、前記光制限部材の間隔、又は前記光学装置の光軸方向の長さを変更可能であることを特徴とする。
【００１２】
本発明の請求項７に記載の光学装置は、所定の間隔をあけて配置され、入射光を制限する光制限部材と、前記光制限部材を支持する支持部と、前記入射光が入射する光学機器の入射側に、前記支持部を取り付け可能な取り付け部とを含むことを特徴とする。
【００１３】
本発明の請求項８に記載の光学装置は、前記取り付け部が、前記入射光と前記光制限部材との角度を変更可能であることを特徴とする。
【００１４】
本発明の請求項９に記載の光学装置は、前記光制限部材が、前記光制限部材の間隔、又は、前記光学装置の光軸方向の長さを変更可能であることを特徴とする。
【００１５】
本発明の請求項１０に記載の光学装置は、前記光制限部材の間隔に備えられ、透光性を有する透光部材を備えることを特徴とする。
【００１６】
本発明の請求項１１に記載の光学装置は、前記光制限部材が、前記入射光の透過を許容する透光状態と遮断する遮光状態とに切り替え可能な液晶によって構成され、前記光制限部材を前記透光状態又は前記遮光状態に切り替えることによって、前記入射光の制限範囲を変更可能にしてなることを特徴とする。
【００１７】
本発明の請求項１２に記載の光学機器は、請求項１乃至１１の何れか一項に記載の光学装置を含むことを特徴とする。
【発明の効果】
【００１８】
本発明によれば、不必要な斜光をカットしてフレアやゴーストの発生を低減することが出来る。
【発明を実施するための最良の形態】
【００１９】
以下本発明の光学装置及びこの光学装置を備えた光学機器の実施形態について図１〜図１７を参照して説明する。
【００２０】
図１は本発明の光学装置を装備した光学機器の一実施形態を示す概略ブロック図、図２は本発明の光学装置である、ルーバー付きフィルタ（以下フィルタと略記する）を示し、図２（ａ）は同フィルタの正面図、同図（ｂ）は同フィルタの側面図、図３はフィルタの原理説明図、図４は本発明のフィルタの一実施形態を示し、同図（ａ）はフィルタの光軸Ｚ方向における光制限部材の寸法を長く設定したフィルタの側面図、同図（ｂ）はフィルタの光軸Ｚ方向における光制限部材の寸法を短く設定したフィルタの側面図、図５はフィルタの他の実施形態を示し、同図（ａ）は光制限部材間の間隔と光軸Ｚ方向の寸法を大きく設定したフィルタの側面図、同図（ｂ）は光制限部材間の間隔と光軸Ｚ方向の寸法を小さく設定して同図（ａ）と同じ制限範囲になるようにしたフィルタの側面図である。
【００２１】
図１に示すように、本発明の光学装置としてのフィルタ１は、光学機器としての電子スチルカメラ１０のレンズ部１４に着脱可能に取り付けられる。
【００２２】
フィルタ１は、例えば格子状のルーバー構造で、図２（ａ）、（ｂ）に示すように、フィルタ１の光軸Ｚ（レンズ部１４の光軸と一致）と直交する方向Ｙに適宜間隔を空けて互いに平行に配置した、入射光を制限する複数枚の光制限部材２と、これら光制限部材２を支持し且つフィルタ１をレンズ部１４（図１参照）の光入射端部（先端部）に着脱自在に装着するための支持部３とを備える。
【００２３】
光制限部材２は、例えば、着色などの手段で遮光性を持たせた細長い板材から構成されており、光制限部材２間の間隔、光軸Ｚ方向の長さを変えることにより、入射光の制限範囲を変更することが出来る。
【００２４】
支持部３は、例えば、リング状の金具や、円盤状の透明合成樹脂板（例えば透光性の高いアクリル樹脂板）やガラス板などから構成される。支持部３を合成樹脂やガラスなどで構成する場合、エッチング処理などを施して光制限部材２を一体に形成することが可能である。図２（ａ）、（ｂ）では、光制限部材２を支持部３により片持ち梁状に支持した場合を示したが、図４（ａ）、（ｂ）、図５（ａ）、（ｂ）に示すように光制限部材２の軸方向両端を支持部３ａ、３ｂで挟むように支持してもよい。
【００２５】
図３はフィルタ１の入射光を制限する原理説明図で、フィルタ１の光制限部材２がフレアやゴーストの原因となる所定の入射角以上の角度の入射光（斜光）を制限して、同図の実線で示した範囲内の入射光（斜光Ｂ）のみを許容する。
【００２６】
図４（ａ）、（ｂ）は、フィルタ１の他の実施形態を示すもので、光制限部材２間の間隔Ｄを変えずに光軸方向Ｚにおける光制限部材２の長さを変えて斜光の入射範囲（制限範囲）を調整するフィルタ１ａを示す。
【００２７】
具体的には、図４（ａ）では光軸Ｚ方向における光制限部材２の長さＬを大きく設定して、角度θ１以上の入射角の斜光Ｂを制限（入射可能な斜光Ｂの入射角度を角度θ１に制限）している。これに対し、同図（ｂ）では光軸Ｚ方向における光制限部材２の長さＬを短く設定して、角度θ２（θ２>θ１）以上の入射角の斜光Ｂを制限（入射可能な斜光Ｂの入射角度を角度θ２に制限）している。
【００２８】
換言すると、光軸Ｚ方向における光制限部材２の長さＬを短く設定することにより、広範囲に斜光Ｂの入射を許容し、光制限部材２の長さＬを大きく設定することにより、狭い範囲に斜光Ｂの入射を制限している。
【００２９】
図５（ａ）、（ｂ）は、フィルタ１の他の実施形態を示すもので、光制限部材２の間隔及び光軸Ｚ方向における長さを変えることにより、斜光Ｂを所定の範囲に調整するフィルタ１ｂを示す。
【００３０】
図５（ａ）では光制限部材２間の間隔Ｄを広く且つ光軸Ｚ方向における光制限部材２の長さＬを長く設定して角度θ３以上の入射角の斜光Ｂを制限（入射可能な斜光Ｂの入射角度を角度θ３に制限）し、同図（ｂ）では光制限部材２間の間隔Ｄを狭く且つ光軸Ｚ方向における光制限部材２の長さＬを短く設定して角度θ３以上の入射角の斜光Ｂを制限（入射可能な斜光Ｂの入射角度を角度θ３に制限）している。
【００３１】
すなわち、斜光Ｂの制限範囲を同じにするのに、一方では光制限部材２間の間隔Ｄを広く且つ光軸Ｚ方向における光制限部材２の長さＬを長く設定し、他方では光制限部材２間の間隔Ｄを狭く且つ光軸Ｚ方向における光制限部材２の長さＬを短く設定する。
【００３２】
なお、図１中、１２は電子スチルカメラ１０の本体部で、電子スチルカメラ１０の全体を制御するマイクロコントローラ（ＣＰＵ）１６を有している。本体部１２には、レンズ部１４の光軸上に、クイックリターンミラー１８、メカシャッタ１９、被写体の画像を撮像する撮像素子２０（ＣＣＤ）の受光面が配置されている。ミラー１８の反射方向（図の上側）には、ファインダ光学系２２が配置されている。ミラー１８のサブミラーの反射方向（図の下側）には、被写体像の合焦状態を検出するための焦点検出部２４が配置されている。焦点検出部２４から出力される焦点検出データは、ＣＰＵ１６に供給される。
【００３３】
撮像素子２０（撮像手段）から出力される画像データは、画像処理部２６により、色信号処理、Ａ／Ｄ変換およびγ補正等が実施された後、画像メモリ２８に記録される。画像メモリ２８から出力される画像データは、画像圧縮部３０に供給される。画像圧縮部３０は、ＣＰＵ１６に接続されている。また、ＣＰＵ１６には、カードインターフェース３２を介して、画像や撮影条件等を記録するためのメモリカード３４（記憶手段）が着脱自在に接続される。
【００３４】
ＣＰＵ１６には、撮像素子２０を駆動するＣＣＤ駆動回路３６、被写体像の輝度を測光する測光部３８、画像メモリ２８に記録された画像データの表示を制御する画像表示回路４０が接続されている。画像表示回路４０から出力される画像データは、本体部１２の筐体背面に配置されたモニタ用の表示部４２（液晶パネル）に供給される。また、ＣＰＵ１６には、連写撮影時に、撮影対象を包含する撮影対象領域の大きさおよび位置を設定するための撮影対象領域決定回路４４（領域設定手段）、撮像素子２０の撮像画面に対する撮影対象領域の位置を算出するための領域位置算出回路４６が接続されている。
【００３５】
本体部１２の筐体には、撮影を要求するためのレリーズ釦５６が設けられている。このレリーズ釦５６の出力は、ＣＰＵ１６に供給される。
【００３６】
レンズ部１４は、複数の単体レンズで構成され、撮像素子２０上に被写体像を合焦させるために移動する合焦用レンズ５８、レンズ間の所定位置に設置され、光量を調整するための複数の板から構成される絞り６０、ＣＰＵ１６からの指示に従って、合焦用レンズ５８および絞り６０を駆動するレンズ・絞り駆動機構６２を駆動制御するレンズ・絞り駆動制御回路６３、合焦用レンズ５８の位置を検出するエンコーダ６４を有している。
【００３７】
図６は更に他の実施形態のフィルタ１を装備した光学機器の他の実施形態を示す概略ブロック図である。なお、図６中、図１に示す部分と同一部分には同一符号を付してその説明を省略する。
【００３８】
本実施形態では、レンズ部１４の先端側（光が入射する側）に光軸Ｚ方向における光制限部材２の長さを調整可能に構成したフィルタ１ｃ、１ｄを装着している。
【００３９】
図７（ａ）、（ｂ）は、支持部３を構成する平行ガラス板３ａ、３ｂ間に、伸縮可能な、例えば入れ子状（ロッドアンテナ状）の光制限部材２ａを配置してフィルタ１ｃを構成した場合を示している。光制限部材２ａ間の間隔は、変化せずに一定である。
【００４０】
図７（ａ）では光制限部材２ａを伸長させて、光軸Ｚ方向における光制限部材２ａの長さを大きくすることにより、入射角が角度θ４以上の斜光Ｂの入射を制限（入射可能な斜光Ｂの入射角度を角度θ４に制限）する。これに対し、同図（ｂ）では光制限部材２ａを収縮させて、光軸Ｚ方向における光制限部材２ａの長さを短くすることにより、入射角が角度θ５（θ５>θ４）以上の斜光Ｂの入射を制限（入射可能な斜光Ｂの入射角度を角度θ５に制限）する。
【００４１】
すなわち、光制限部材２ａの長さを大きくして斜光Ｂの入射範囲を狭く制限し（制限範囲を広く）、光制限部材２ａの長さを短くして斜光Ｂの入射範囲を広く（制限範囲を小さく）する。
【００４２】
撮影者は、画面内あるいは画面近傍に太陽などの高輝度源があるとき、本体部１２の筐体背面に配置されたモニタ用の表示部４２（液晶パネル）でフレアやゴーストを確認しながら、結像状態が最適になるように平行ガラス板３ａを被写体側あるいは本体部１２側へ移動させて、光制限部材２ａの長さを調整する。
【００４３】
図８（ａ）、（ｂ）は、支持部３を構成する平行ガラス板３ａ、３ｂ間に、ゴムなどの伸縮可能な弾性材からなる光制限部材２ｂを配置してフィルタ１ｄを構成した場合を示している。光制限部材２ｂは軸線方向中央部分でその外径が最も太く、軸線方向両端部でその外径が最も細くなる形状（略エンタシス形状）である。
【００４４】
図８（ａ）では平行ガラス板３ａを被写体側に移動させて光制限部材２ｂを伸長することにより、光軸Ｚ方向における光制限部材２ｂの長さが大きくなり、且つ、軸線方向中央部分での膨らみが小さくなると共に軸線方向両端部ではその外周面の傾斜が小さくなって、入射角が角度θ６以上の斜光Ｂの入射を制限（入射可能な斜光Ｂの入射角度を角度θ６に制限）する。
【００４５】
これに対し、同図（ｂ）では平行ガラス板３ａを本体部１２側に移動させて光制限部材２ｂを収縮することにより、光軸Ｚ方向における光制限部材２ｂの長さが短くなり、且つ、軸線方向中央部分での膨らみが大きくなると共に軸線方向両端部ではその外周面の傾斜が大きくなって、入射角が角度θ７（θ７>θ６）以上の斜光Ｂの入射を制限（入射可能な斜光Ｂの入射角度を角度θ７に制限）する。
【００４６】
すなわち、光制限部材２ｂの長さを長くすることによって斜光Ｂの入射範囲を狭く制限し（制限範囲を広く）、また光制限部材２ｂの長さを短くすることによって斜光Ｂの入射範囲を広く（制限範囲を小さく）して、制限範囲を調整する。
【００４７】
図７（ａ）、（ｂ）、図８（ａ）、（ｂ）の何れの場合にあっても、撮影者は、太陽がレンズ部１４の光軸に近いとき（太陽の位置が低いとき）には光制限部材２ａ、２ｂの長さを大きくし、太陽がレンズ部１４の光軸Ｚから遠いとき（太陽の位置が高いとき）には光制限部材２ａ、２ｂの長さを短くするように、モニタ用の表示部４２（液晶パネル）でフレアやゴーストを確認しながら、平行ガラス板３ａを最適な位置に固定する。
【００４８】
図９は更に他の実施形態のフィルタ１を装備した光学機器の他の実施形態を示す概略ブロック図である。なお、図９中、図１に示す部分と同一部分には同一符号を付してその説明を省略する。
【００４９】
本実施形態では、レンズ部１４の先端側に、レンズ部１４の光軸を中心にチルト（傾斜）可能にフィルタ１ｅを装着している。
【００５０】
具体的には、例えば、図１０（ａ）、（ｂ）に示すように、フィルタ１ｅを３点支持構造４によって光軸を中心にチルト可能にレンズ部１４の入射側に装着する。
【００５１】
３点支持構造４は、１２０°の開き角度で配置した光軸Ｚ方向に延びる３本の支持アーム４ａと、この支持アーム４ａに形成した光軸方向に延びるガイド溝４ｂにスライド可能に取り付けられた、フィルタ１ｅ（支持部３）の外周面に１２０°の開き角度で固定した３本のスライドピン４ｃとを備える。
【００５２】
フィルタ１ｅを動かすと、スライドピン４ｃがガイド溝４ｂをスライドして、フィルタ１ｅが光軸Ｚを中心にしてチルトし、光軸Ｚから離れたフィルタ１ｅの周辺部分では斜光がかなりカットされて入射し難くなる一方、光軸Ｚ近傍のフィルタ１ｅの中央部分では斜光が余りカットされずに入射するようになる。
【００５３】
すなわち、フィルタ１ｅは、チルトさせることにより、その中央部分と周辺部分とで遮光範囲を異ならせることが出来る。例えば、撮影時にファインダを覗きながらフィルタ１ｃをチルトさせることにより、フレア、ゴーストの原因となる不要次数光を除去して最適な画像を得ることが出来る。
【００５４】
フィルタ１ｅとしては、上述したフィルタ１ａ、１ｂ、１ｃ、１ｄが使用され、これらフィルタ１ａ、１ｂ、１ｃ、１ｄを３点支持構造４によって光軸を中心にチルト可能にレンズ部１４の入射側に装着する。
【００５５】
図１１はフィルタ１ｆの光制限部材２ｃ間のスペースに透明なガラスや合成樹脂からなる透過層２ｄを配置した、フィルタ１の更に他の実施形態を示す。
【００５６】
フィルタ１ｆは、例えば１枚の透明なガラス板や合成樹脂板から構成し、光制限部材２ｃ部分を着色などの手段で遮光性を持たせるようにすることが出来る。この場合、光制限部材２ｃを、平行平板状（格子状）、波形状、同心円状、渦巻き状に形成することが容易である。
【００５７】
図１２は、フィルタ１ｇの光制限部材２ｅを支持する支持部３を、二枚の平行ガラス板３ａ、３ｂと、これら平行ガラス板３ａ、３ｂ間に配置される支持リング３ｃによって構成した、フィルタ１の更に他の実施形態を示す。
【００５８】
このフィルタ１ｆ、１ｇも、３点支持構造４によって光軸Ｚを中心にチルト可能にレンズ部１４の入射側に装着して、遮光範囲を調整する。
【００５９】
図１３は図５（ａ）、（ｂ）に示すフィルタ１ｂの変形例を示している。この図１３の変形例に示すフィルタ１ｈでは、支持部３に同心円状に配置された複数の光制限部材２ｆを液晶によって構成している。例えば、透明電極を設けた基板間に液晶を充填した液晶セルにて光制限部材２ｆを構成している。この光制限部材２ｆの透明電極への電流の供給を制御することによって、光制限部材２ｆを、入射光を透過させる透光状態（図１３の点線に示す状態）と入射光を遮断する遮光状態（図１３の実線に示す状態）とに切り替えることが出来る。
【００６０】
例えば、図１３に示すように、フィルタ１ｈの光軸Ｚ側（フィルタ１ｈの中央部分）にある所定の光制限部材２ｆの透明電極への電流の供給を制御することによって該光制限部材２ｆを遮光状態から透光状態に切り替え、フィルタ１ｈの中央部分での光制限部材２ｆ間の間隔を広く変更して入射光の制限範囲を容易に変えることが出来る。
【００６１】
図１４（ａ）、（ｂ）はフィルタ１の更に他の実施形態を示す。この図１４に示すフィルタ１ｉでは、光制限部材２ｇが配置される領域を、入射光を強く制限する第１の領域２００ｇと、入射光を弱く制限する第２の領域２０１ｇとに区画して、第２の領域２０１ｇをフィルタ１ｉの光軸Ｚ側（フィルタ１ｉの中央部分）に位置させる一方、第１の領域２００ｇをフィルタ１ｉの外周側である第２の領域２０１ｇの周囲（光軸Ｚから離れた側であるフィルタ１ｉの外周部分）に位置させている。なお、光制限部材２ｇは支持部３ａ、３ｂ間において互いに平行な状態で支持されている。
【００６２】
第１の領域２００ｇは、例えば、そこに配置されている光制限部材２ｇ間の間隔を、第２の領域２０１ｇ内の光制限部材２ｇ間の間隔よりも狭く設定することによって、入射光の制限範囲（遮光範囲）を広くして入射光を強く制限している。これに対し、第２の領域２０１ｇは、例えば、そこに配置されている光制限部材２ｇ間の間隔を、第１の領域２００ｇ内の光制限部材２ｇ間の間隔よりも広く設定することによって、入射光の制限範囲（遮光範囲）を狭くして入射光を弱く制限している。
【００６３】
図１４（ａ）は第２の領域２０１ｇにおいて光制限部材２ｇ間の間隔を等間隔に設定した場合を示し、同図（ｂ）は第２の領域２０１ｇにおいて光制限部材２ｇ間の間隔を第１の領域２００ｇ側から光軸Ｚに向かって順次広くなるように設定した場合を示している。
【００６４】
図１５（ａ）、（ｂ）、（ｃ）はフィルタ１の更に他の実施形態を示す。この図１５に示すフィルタ１ｊでは、図１３に示す変形例と同様に、支持部３ａ，３ｂ間に同心円状に配置された光制限部材２ｈを液晶によって構成している。光制限部材２ｈ（光制限部材２ｈを構成する透明電極）への電流の供給を制御することによって、光制限部材２ｈを、入射光を透過させる透光状態（図１５（ｃ）の点線に示す状態）と入射光を遮断する遮光状態（図１５（ｂ）の実線に示す状態）とに切り替えることが出来る。
【００６５】
フィルタ１ｊは、図１３に示すフィルタ１ｈとは異なり、光制限部材２ｈ間の間隔が光軸Ｚ側（フィルタ１ｊの中央部分：図１４の第２の領域に相当する部分）と光軸Ｚから離れた側（フィルタ１ｊの外周部分：図１４の第１の領域に相当する部分）とで相違しており、フィルタ１ｊの中央部分では光制限部材２ｈ間の間隔が広く設定される一方、外周部分では光制限部材２ｈ間の間隔が狭く設定されている。
【００６６】
フィルタ１ｊの中央部分に位置する所定の光制限部材２ｈ（透明電極）への電流の供給を制御し、図１５（ｂ）に示す状態から同図（ｃ）に示す状態に切り替えて該光制限部材２ｈを透光状態にすると、フィルタ１ｊの中央部分では光制限部材２ｇ間の間隔が広がって入射光の制限範囲を容易に変更することが出来る。
【００６７】
図１６はフィルタ１の更に他の実施形態を示す。この図１６に示すフィルタ１ｋでは、支持部３に配置される光制限部材２ｉを、該支持部３と一体に形成している。例えば、透明合成樹脂、ガラスを金型により成型して光制限部材２ｉと支持部３とを一体に形成するか、あるいは透明合成樹脂板、ガラス板にエッチング処理を施して光制限部材２ｉと支持部３とを一体に形成する。フィルタ１ｋの光軸Ｚ方向における光制限部材２ｉの長さは、光軸Ｚ側（フィルタ１ｋの中央部分：図１４の第２の領域に相当する部分）と光軸Ｚから離れた側（フィルタ１ｋの外周部分：図１４の第１の領域に相当する部分）とで相違している。具体的には、光軸Ｚ方向における光制限部材２ｉの長さを、外周部分では長く、中央部分では短くなるように、フィルタ１ｋの外周部分から中央部分に向かって順次変化させている。なお、光制限部材２ｉ間の間隔はフィルタ１ｋの中央部分と外周部分とで同じで、等間隔に設定されている。
【００６８】
本実施形態のフィルタ１ｋでは、光軸Ｚ方向における光制限部材２，２ａ，２ｂの長さが均一な図４（ｂ）、図５（ｂ）、図７（ｂ）、図８（ｂ）に示すフィルタ１ａ，１ｂ，１ｃ，１ｄとは異なり、フィルタ１ｋの外周部分では斜光を大きくカットし、中央部分では入射光が入射し易いように、入射光の制限範囲をフィルタ１ｋの外周部分から中央部分に向けて変化させることが出来る。
【００６９】
図１７図（ａ），（ｂ）は図１６に示すフィルタ１ｋの変形例を示している。
【００７０】
図１７（ａ）に示すフィルタ１ｍでは、図１６に示すフィルタ１ｋと同様にその支持部３に配置される光制限部材２ｊが該支持部３と一体に形成されている。同図（ｂ）に示すフィルタ１ｎでは、支持部３ａ、３ｂ間に配置される光制限部材２ｋが図１３や図１５に示すフィルタ１ｈ，１ｊの光制限部材２ｆ，２ｈと同様に液晶で構成されている。光制限部材２ｋを構成する透明電極への電流の供給を制御することによって、光制限部材２ｋを透光状態と遮光状態に切り換えることが出来る。
【００７１】
フィルタ１ｍやフィルタ１ｎ（同図（ｂ））では、光制限部材２ｊ、２ｋの間隔については、図１６に示すフィルタ１ｋと異なり、フィルタ１ｍの光軸Ｚから離れた側（フィルタ１ｍ、１ｎの外周部分：図１４の第１の領域に相当する部分）で狭く、光軸Ｚ側（フィルタ１ｍ、１ｎの中央部分：図１４の第２の領域に相当する部分）で広く設定されているが、光軸Ｚ方向の長さについては、図１６に示すフィルタ１ｋと同様に、フィルタ１ｍ、１ｎの外周部分から中央部分に向かって順次短く設定されている。
【００７２】
なお。図１７（ｂ）に示すフィルタ１ｎでは、光制限部材２ｋ（光制限部材２ｋを構成する透明電極）に供給する電流を制御することによって、光軸Ｚ方向における該光制限部材２ｋの長さを上述したようにフィルタ１ｎの外周部分から中央部分に向かって順次短くしているが、この状態を変更することも可能である。
【００７３】
本発明の光学装置は上記各実施形態に示したものに制限されるものではない。要は入射光の制限範囲（遮光範囲）が変更可能になっていればよい。例えば、光制限部材２自体の構造や、光制限部材を支持する部分の構造により光軸Ｚを中心に回転、チルト可能にすることによって入射光の制限範囲（遮光範囲）を変更可能にする。
【００７４】
また、上記各実施形態では本発明の光学装置を電子スチルカメラに適用した場合を示したが、これに限定されるものではなく、例えばビデオカメラ、レンズ、鏡筒、顕微鏡、望遠鏡、携帯電話などの光学機器に適用することが出来る。
【図面の簡単な説明】
【００７５】
【図１】本発明の光学装置を装備した光学機器（電子スチルカメラ）の一実施形態を示す概略ブロック図である。
【図２】本発明の光学装置である、ルーバー付きフィルタ（以下フィルタと略記する）を示し、図２（ａ）は同フィルタ部分の正面図、同図（ｂ）は同フィルタ部分の側面図である。
【図３】フィルタの原理説明図である。
【図４】本発明のフィルタの一実施形態を示し、同図（ａ）は光制限部材の入射光の方向（光軸Ｚ方向）の寸法を長く設定したフィルタの側面図、同図（ｂ）は光制限部材の入射光の方向（光軸Ｚ方向）の寸法を短く設定したフィルタの側面図である。
【図５】フィルタの他の実施形態を示し、同図（ａ）は光制限部材間の間隔と入射光の方向（光軸Ｚ方向）の寸法を大きく設定したフィルタの側面図、同図（ｂ）は光制限部材間の間隔と入射光の方向（光軸Ｚ方向）の寸法を小さく設定して同図（ａ）と同じ制限範囲になるようにしたフィルタの側面図である。
【図６】更に他の実施形態のフィルタ１を装備した光学機器の他の実施形態を示す概略ブロック図である。
【図７】フィルタの更に他の実施形態を示すもので、図７（ａ）は光制限部材２ａを伸長した状態の側面図、同図（ｂ）は光制限部材２ａを収縮した状態の側面図である。
【図８】フィルタの更に他の実施形態を示すもので、図８（ａ）は光制限部材２ｂを伸長した状態の側面図、同図（ｂ）は光制限部材２ａを収縮した状態の側面図である。
【図９】更に他の実施形態のフィルタ１を装備した光学機器の他の実施形態を示す概略ブロック図である。
【図１０】フィルタの支持構造（３点支持構造）部分を詳細に示すもので、図１０（ａ）は正面図、同図（ｂ）は側面図である。
【図１１】フィルタの更に他の実施形態を示す側面図である。
【図１２】フィルタの更に他の実施形態を示す側面図である。
【図１３】図５（ａ）、（ｂ）に示すフィルタ１ｂの変形例を示す正面図である。
【図１４】フィルタの更に他の実施形態を示す図で、図１４（ａ）は第２の領域中の光制限部材間の間隔を等しく設定したフィルタの側面図、同図（ｂ）は第２の領域中の光制限部材間の間隔を光軸Ｚ側で広くなるように設定したフィルタの側面図である。
【図１５】フィルタの更に他の実施形態を示す図で、図１５（ａ）はフィルタの正面図、同図（ｂ）は同フィルタの側面図、同図（ｃ）はフィルタの中央部分での光制限部材を透光状態に変化させたときの、同フィルタの側面図である。
【図１６】フィルタの更に他の実施形態を示す側面図である。
【図１７】図１６に示すフィルタの変形例を示す図である。
【符号の説明】
【００７６】
１              フィルタ（光学装置）
１ａ〜１ｎ      フィルタ
２              光制限部材
２ａ〜２ｋ      光制限部材
３              支持部
３ａ、３ｂ      平行ガラス板
３ｃ            支持リング
４        ３点支持構造
１０      電子スチルカメラ（光学機器）
【図１】
2008203819.tif 000003
【図２】
2008203819.tif 000004
【図３】
2008203819.tif 000005
【図４】
2008203819.tif 000006
【図５】
2008203819.tif 000007
【図６】
2008203819.tif 000008
【図７】
2008203819.tif 000009
【図８】
2008203819.tif 000010
【図９】
2008203819.tif 000011
【図１０】
2008203819.tif 000012
【図１１】
2008203819.tif 000013
【図１２】
2008203819.tif 000014
【図１３】
2008203819.tif 000015
【図１４】
2008203819.tif 000016
【図１５】
2008203819.tif 000017
【図１６】
2008203819.tif 000018
【図１７】
2008203819.tif 000019